(57)【要約】      （修正有）【課題】補強作業を伴うことがなくとも強度に優れ、簡易に組み立てることができる段ボール箱を提供する。【解決手段】底部２１、底部を介して互いに対向する前面壁２２及び後面壁２３、及び底部を介して互いに対向して前面壁と後面壁とを連結する一対の側面壁２４，２５を有して上部が開口された収納部２０を備える段ボール箱１０において、収納部は、底部の両側端縁２１Ａ，２１Ｂにそれぞれ連設されて各側面壁の内側にそれぞれ重ね合わせられる一対の重ね側面壁２６，２７と、各重ね側面壁が各側面壁の内側にそれぞれ重ね合わせられた状態で底部の内側に重ね合わせられる重ね底部２８と、を備える。【選択図】図１
2020019560.tif 000002
【特許請求の範囲】
【請求項１】
底部、該底部を介して互いに対向する前面壁及び後面壁、及び前記底部を介して互いに対向して前記前面壁と前記後面壁とを連結する一対の側面壁を有して上部が開口された収納部を備える段ボール箱において、
前記収納部は、
前記底部の両側端縁にそれぞれ連設されて前記各側面壁の内側にそれぞれ重ね合わせられる一対の重ね側面壁と、
該各重ね側面壁が前記各側面壁の内側にそれぞれ重ね合わせられた状態で前記底部の内側に重ね合わせられる重ね底部と、
を備えることを特徴とする段ボール箱。
【請求項２】
前記底部は、
前記前面壁に連設され、
前記重ね底部は、
前記後面壁に連設される、
ことを特徴とする請求項１に記載の段ボール箱。
【請求項３】
前記各側面壁は、
各上端縁にそれぞれ連設される一対のフラップを備え、
該各フラップが内側に折り曲げられて前記各重ね側面壁の各上端縁に前記各フラップがそれぞれ重ね合わせられることを特徴とする請求項１または２に記載の段ボール箱。
【発明の詳細な説明】
【技術分野】
【０００１】
本発明は、段ボール箱、特に、底部、底部を介して互いに対向する前面壁及び後面壁、及び底部を介して互いに対向して前面壁と後面壁とを連結する一対の側面壁を有して上部が開口された収納部を備える段ボール箱に関する。
【背景技術】
【０００２】
段ボール箱は、一般的に、折りたたまれた状態から組み立てられると、上部が開口されて底部を有する収納部及びこの収納部の開口を開蓋及び閉蓋する蓋部が形成され、収納部に物品が収納される（例えば、特許文献１を参照）。
【０００３】
この種の段ボール箱では、物品が収納されて運搬される際や、物品が収納されて積み上げられる際に、収納部に収納された物品の重みによって収納部の底部が抜け落ちないように、テープ等の補強部材が底部に貼り付けられることがある。
【先行技術文献】
【特許文献】
【０００４】
【特許文献１】特開２０１６−１３２４９０公報
【発明の概要】
【発明が解決しようとする課題】
【０００５】
このように、上記の段ボール箱を組み立てて物品を収納する場合に、収納部の底部に補強部材を貼り付けるといった段ボール箱の補強作業を行うとなれば、段ボール箱の組み立て作業の際の作業負担が増大することが懸念される。
【０００６】
特に、簡易かつ迅速さが要求される引っ越しや物品の運搬といった際に、上記の段ボール箱が使用される場合において、段ボール箱の補強作業を行うとなれば、運搬作業に遅延が生じることが懸念される。
【０００７】
本発明は、上記事情に鑑みてなされたものであり、補強作業を伴うことがなくとも強度に優れ、簡易に組み立てることができる段ボール箱を提供することを課題とするものである。
【課題を解決するための手段】
【０００８】
上記課題を解決するための、本発明に係る段ボール箱は、底部、底部を介して互いに対向する前面壁及び後面壁、及び底部を介して互いに対向して前面壁と後面壁とを連結する一対の側面壁を有して上部が開口された収納部を備える段ボール箱において、収納部は、底部の両側端縁にそれぞれ連設されて各側面壁の内側にそれぞれ重ね合わせられる一対の重ね側面壁と、各重ね側面壁が各側面壁の内側にそれぞれ重ね合わせられた状態で底部の内側に重ね合わせられる重ね底部と、を備えることを特徴としている。
【０００９】
さらに、この段ボール箱の底部は、前面壁に連設され、重ね底部は、後面壁に連設される、ことを特徴としている。
【００１０】
この段ボール箱によれば、前面壁に連設される底部に連設される各重ね側面壁が、各側面壁の内側に重ね合わせられた状態において、後面壁に連設される重ね底部が底部の内側に重ね合わせられる。
【００１１】
したがって、組み立ての際に、底部及び各側面壁が補強されることから、組み立てとは別途の補強作業を行うことなく、強度に優れた段ボール箱を簡易に得ることができる。
【００１２】
さらに、この段ボール箱の各側面壁は、各上端縁にそれぞれ連設される一対のフラップを備え、各フラップが内側に折り曲げられて各重ね側面壁の各上端縁に各フラップがそれぞれ重ね合わせられることを特徴としている。
【００１３】
これによれば、各重ね側面壁の上端縁に各フラップが重ね合わせられることから、各側面壁の内側に重ね合わせられた各重ね側面壁が係止される。
【発明の効果】
【００１４】
この発明によれば、強度に優れた段ボール箱を簡易に得ることができる。
【図面の簡単な説明】
【００１５】
【図１】本発明の実施の形態に係る段ボール箱が展開されたブランクスの状態の概略を説明する図である。
【図２】同じく、本実施の形態に係る段ボール箱の概略を説明する斜視図である。
【図３】同じく、本実施の形態に係る展開された状態の段ボール箱を起函する作業の概略を説明する図である。
【図４】同じく、本実施の形態に係る展開された状態の段ボール箱を起函する作業の概略を説明する図である。
【図５】本発明の他の実施の形態に係る段ボール箱が展開されるブランクスの状態の概略を説明する展開図である。
【発明を実施するための形態】
【００１６】
次に、本発明の実施の形態について、図１〜図４に基づいて説明する。
【００１７】
図１は、本実施の形態に係る段ボール箱が展開されたブランクスの状態の概略を説明する図であり、図２は、本実施の形態に係る段ボール箱の概略を説明する斜視図である。図１で示すように、ブランクス１の状態から起函されると、図２で示すように、段ボール箱１０が形成される。
【００１８】
この段ボール箱１０は、本実施の形態では、収納部２０及び蓋部３０を主要構成として備える。
【００１９】
収納部２０は、底部２１、底部２１を介して互いに対向する前面壁２２及び後面壁２３、及び底部２１を介して互いに対向して前面壁２２と後面壁２３とを連結する第１側面壁２４及び第２側面壁２５を主要構成として備え、上部が開口された箱状に形成される。
【００２０】
底部２１は、前面壁第１折り線２２ａを介して前面壁２２に連設され、この前面壁第１折り線２２ａに、本実施の形態では前面壁２２の下端縁が設定される。
【００２１】
この前面壁２２は、下端縁と対向する上端縁２２ｂを備え、本実施の形態では、上端縁２２ｂから突出する係止部２２Ａが形成される。
【００２２】
係止部２２Ａは、本実施の形態では、前面壁２２の内側に切り込みが付与されて形成された基部２２Ａａ、この基部２２Ａａと折曲線２２Ａｂを介して連設される先端部２２Ａｃを備える。
【００２３】
一方、前面壁２２の側部には、前面壁第２折り線２２ｂを介して前面壁取付部２２Ｂが形成され、前面壁第２折り線２２ｂと対向する前面壁２２の側部において、前面壁第３折り線２２ｃを介して第１側面壁２４が連設される。
【００２４】
第１側面壁２４には、第１側面壁第１折り線２４ａを介してフラップ２４Ａが連設され、この第１側面壁第１折り線２４ａに、本実施の形態では第１側面壁２４の上端縁が設定される。
【００２５】
この第１側面壁２４には、本実施の形態では、第１側面壁把持部２４Ｂが形成される。第１側面壁把持部２４Ｂは、第１側面壁２４の内側において切り込みが付与されて形成された抜孔部２４Ｂａを、折曲線２４Ｂｂを介して折り曲げることによって形成される。
【００２６】
一方、第１側面壁２４には、前面壁第３折り線２２ｃと対向する側部において、第１側面壁第２折り線２４ｂを介して後面壁２３が連設される。
【００２７】
この後面壁２３には、第１側面壁第２折り線２４ｂと対向する側部において、後面壁第１折り線２３ａを介して、第２側面壁２５が連設される。
【００２８】
第２側面壁２５には、第２側面壁第１折り線２５ａを介してフラップ２５Ａが連設され、この第２側面壁第１折り線２５ａに、本実施の形態では第２側面壁２５の上端縁が設定される。
【００２９】
この第２側面壁２５には、後面壁第１折り線２３ａと対向する側部において、第２側面壁第２折り線２５ｂを介して第２側面壁取付部２５Ｂが形成される。
【００３０】
一方、第２側面壁２５には、本実施の形態では、第２側面壁把持部２５Ｃが形成される。第２側面壁把持部２５Ｃは、第２側面壁２５の内側において切り込みが付与されて形成された抜孔部２５Ｃａを、折曲線２５Ｃｂを介して折り曲げることによって形成される。
【００３１】
さらに、収納部２０は、第１側面壁２４の内側に重ね合わせられる第１重ね側面壁２６、第２側面壁２５の内側に重ね合わせられる第２重ね側面壁２７、及び底部２１の内側に重ね合わせられる重ね底部２８を備える。
【００３２】
第１重ね側面壁２６は、底部第１折り線２１ａを介して底部２１に連設され、この底部第１折り線２１ａに、本実施の形態では底部２１の側端縁２１Ａが設定されるとともに第１重ね側面壁２６の下端縁２６ａが設定され、下端縁２６ａと対向する上端縁２６ｂが形成される。
【００３３】
この第１重ね側面壁２６の内側には、本実施の形態では、長孔状に切り抜かれた第１重ね側面壁把持部２６Ａが形成される。
【００３４】
第２重ね側面壁２７は、底部第２折り線２１ｂを介して底部２１に連設され、この底部第２折り線２１ｂに、本実施の形態では底部２１の側端縁２１Ｂが設定されるとともに第２重ね側面壁２７の下端縁２７ａが設定され、下端縁２７ａと対向する上端縁２７ｂが形成される。
【００３５】
この第２重ね側面壁２７の内側には、本実施の形態では、長孔状に切り抜かれた第２重ね側面壁把持部２７Ａが形成される。
【００３６】
重ね底部２８は、後面壁２３の下部において、後面壁第２折り線２３ｂを介して後面壁２３に連設される。
【００３７】
蓋部３０は、本実施の形態では、後面壁２３の上部において、後面壁第３折り線２３ｃを介して後面壁２３に連設される蓋部基部３１、蓋部基部折り線３２を介して蓋部基部３１と連設される蓋部先端部３３、及び蓋部基部折り線３２に沿って形成されて前面壁２２に形成された係止部２２Ａが係止されるスリット３４を備える。
【００３８】
本実施の形態では、ブランクス１における前面壁取付部２２Ｂと第２側面壁取付部２５Ｂとが、例えば接着剤やステープラ等によって結合された状態において、ブランクス１から段ボール箱１０に起函することが可能となる。
【００３９】
図３及び図４は、本実施の形態に係る展開された状態の段ボール箱１０を起函する作業の概略を説明する図である。
【００４０】
まず、前面壁取付部２２Ｂと第２側面壁取付部２５Ｂとの結合部分、前面壁第３折り線２２ｃ、第１側面壁第２折り線２４ｂ、及び後面壁第１折り線２３ａにおいて、前面壁２２、第１側面壁２４、後面壁２３及び第２側面壁２５をそれぞれ山折りにして起立させる。
【００４１】
続いて、底部第１折り線２１ａにおいて第１重ね側面壁２６を山折りにするとともに、底部第２折り線２１ｂにおいて第２重ね側面壁２７を山折りにして、第１重ね側面壁２６と第２重ね側面壁２７とを底部２１の上に重ね合わせる。
【００４２】
この状態において、前面壁第１折り線２２ａにおいて底部２１を山折りにして、収納部２０の内側に折りたたんで、前面壁２２の内側に重ね合わせる。
【００４３】
一方、後面壁第２折り線２３ｂにおいて重ね底部２８を山折りにして、収納部２０の内側に折りたたんで、後面壁２２の内側に重ね合わせる。
【００４４】
その後、収納部２０の内側に折りたたんで前面壁２２の内側に重ね合わせた底部２１を開いて、底部２１を後面壁第２折り線２３ｂと一致するように位置決めする。
【００４５】
続いて、底部２１の上に重ね合わせた、第１重ね側面壁２６と第２重ね側面壁２７とを起立させて、第１重ね側面壁２６を第１側面壁２４の内側に重ね合わせるとともに、第２重ね側面壁２７を第２側面壁２５の内側に重ね合わせる。
【００４６】
しかる後、収納部２０の内側に折りたたんで後面壁２２の内側に重ね合わせた重ね底部２８を開いて、底部２１の内側に重ね合わせる。
【００４７】
さらに、第１側面壁第１折り線２４ａにおいてフラップ２４Ａを山折りにして、第１重ね側面壁２６の上端縁２６ｂにフラップ２４Ａを重ね合わせるとともに、第２側面壁第１折り線２５ａにおいてフラップ２５Ａを山折りにして、第２重ね側面壁２７の上端縁２７ｂにフラップ２５Ａを重ね合わせる。
【００４８】
一方、第１側面壁２４の抜孔部２４Ｂａを、折曲線２４Ｂｂにおいて折り曲げて第１重ね側面壁把持部２６Ａに折り込むとともに、第２側面壁２５の抜孔部２５Ｃａを、折曲線２５Ｃｂにおいて折り曲げて第２重ね側面壁把持部２７Ａに折り込む。
【００４９】
これにより、本実施の形態に係る段ボール箱１０の収納部２０が形成される。
【００５０】
次に、後面壁第３折り線２３ｃにおいて蓋部基部３１を山折りにするとともに、蓋部基部折り線３２において蓋部先端部３３を山折りにすることによって、本実施の形態に係る段ボール箱１０の蓋部３０が形成される。
【００５１】
この蓋部３０の蓋部先端部３３を収納部２０に差し込むことによって、収納部２０が蓋部３０によって閉蓋される。このとき、前面壁２２に形成された係止部２２Ａが、蓋部３０のスリット３４に差し込まれて係止部２２Ａが係止されることによって、蓋部３０が不意に開蓋することが抑制される。
【００５２】
このように、本実施の形態に係る段ボール箱１０は、前面壁２２に連設される底部２１に連設される第１重ね側面壁２６が、第１側面壁２４の内側に重ね合わせられるとともに、底部２１に連設される第２重ね側面壁２７が第２側面壁２５の内側に重ね合わせられた状態において、後面壁２３に連設される重ね底部２８が底部２１の内側に重ね合わせられる。
【００５３】
したがって、組み立ての際に、底部２１、第１側面壁２４及び第２側面壁２５が補強されることから、組み立てとは別途の補強作業を行うことなく、強度に優れた段ボール箱１０を簡易に得ることができる。
【００５４】
さらに、第１重ね側面壁２６の上端縁２６ｂにフラップ２４Ａが重ね合わせられるとともに、第２重ね側面壁２７の上端縁２７ｂにフラップ２５Ａが重ね合わせられることから、第１側面壁２４の内側に重ね合わせられた第１重ね側面壁２６、及び第２側面壁２５の内側に重ね合わせられた第２重ね側面壁２７が係止される。
【００５５】
なお、本発明は上記実施の形態に限定されることはなく、発明の趣旨を逸脱しない範囲で種々変更可能である。上記実施の形態では、ブランクス１が一体的に形成される場合を説明したが、複数のブランクスを組み合わせてブランクスが形成されるように構成してもよい。
【００５６】
図５は、本発明の他の実施の形態に係る段ボール箱１１が展開されたブランクスの状態の概略を説明する図である。
【００５７】
なお、図５において、上記実施の形態と同様の構成要素には同一の符号を付して、その詳細な説明を省略する。
【００５８】
本発明の他の実施の形態のブランクス２は、第１ブランクス２−１及び第２ブランクス２−２を組み合わせて形成される。
【００５９】
第１ブランクス２−１は、底部２１、底部２１の一方の側部に底部第１折り線２１ａを介して底部２１に連設される第１重ね側面壁２６、及び底部２１の他方の側部に底部第２折り線２１ｂを介して底部２１に連設される第２重ね側面壁２７を備える。
【００６０】
さらに、第１ブランクス２−１は、底部２１が連設される前面壁２２、前面壁２２の一方の側部に前面壁第３折り線２２ｃを介して前面壁２２に連設される第１側面壁２４、及び前面壁２２の他方の側部に前面壁第２折り線２２ｂを介して前面壁２２に連設される第２側面壁２５を備える。
【００６１】
第１側面壁２４は、第１側面壁第２折り線２４ｂを介して第１側面壁２４に連設される第１側面壁取付部２４Ｃを備え、第２側面壁２５は、第２側面壁第３折り線２５ｃを介して第２側面壁２５に連設される第２側面壁第２取付部２５Ｄを備える。
【００６２】
第２ブランクス２−２は、後面壁２３、後面壁２３の下部に後面壁第２折り線２３ｂを介して後面壁２３に連設される重ね底部２８、後面壁２３の上部に後面壁第３折り線２３ｃを介して後面壁２３に連設される蓋部３０を備える。
【００６３】
この実施の形態では、ブランクス２−１における第１側面壁取付部２４Ｃ及び第２側面壁第２取付部２５Ｄが、例えば接着剤やステープラ等によって、ブランクス２−２における後面壁２３の両側部にそれぞれ結合されてブランクス２が形成され、ブランクス２から段ボール箱１１に起函することが可能となる。
【符号の説明】
【００６４】
１、２    ブランクス
１０、１１    段ボール箱
２０    収納部
２１    底部
２２    前面壁
２３    後面壁
２４    第１側面壁
２５    第２側面壁
２６    第１重ね側面壁
２７    第２重ね側面壁
２８    重ね底部
３０    蓋部
【図１】
2020019560.tif 000003
【図２】
2020019560.tif 000004
【図３】
2020019560.tif 000005
【図４】
2020019560.tif 000006
【図５】
2020019560.tif 000007